(57)【要約】【課題】洗面所やトイレ等にて使用される手乾燥装置において、吸引式で水滴が飛び散りを防止するとともに、手が触れる吸引部分が清潔な手乾燥装置を提供することを目的とする。【解決手段】吸引手段２と、前記吸引手段２に接続した風路３と、前記風路３に接続した吸引ノズル４と、前記吸引ノズル４を挟む位置に２個のローラー部５と、前記ローラー部５の下部に清掃手段６を有し、前記ローラー部５の上に濡れた手を置き、前記吸引手段２を動作させ、前記吸引ノズル４より手の表面に付着した水滴を吸引し乾燥させるとともに、前記ローラー部５を回転させながら前記清掃手段６を動作させることにより、人の手が触れる前記ローラー部５の表面を清潔に保つことできる手乾燥装置１が得られる。【選択図】図１
2009066026.tif 000002
【特許請求の範囲】
【請求項１】
本体内部に設けた吸引手段と、前記吸引手段に接続した風路と、前記風路に接続した吸引ノズルと、前記吸引ノズルを挟む位置に２つのローラー部と、前記ローラー部の下部に清掃手段を有したことを特徴とした手乾燥装置。
【請求項２】
清掃手段に隣接し、注水手段を設けた請求項１記載の手乾燥装置。
【請求項３】
ローラー部の下部が浸漬する消毒槽を設けた請求項１記載の手乾燥装置。
【請求項４】
ローラー部の表面に、撥水処理を施した請求項１から３のいずれかに記載の手乾燥装置。
【請求項５】
ローラー部の表面に、親水処理を施した請求項１から３のいずれかに記載の手乾燥装置。
【請求項６】
ローラー部の表面に、弾性材を使用した請求項１から３のいずれかに記載の手乾燥装置。
【請求項７】
ローラー部の表面に、抗菌処理を施した請求項１から３のいずれかに記載の手乾燥装置。
【請求項８】
吸引ノズル近傍にオゾン発生装置を設けたことを特徴とした請求項１から７のいずれかに記載の手乾燥装置。
【請求項９】
吸引ノズル近傍にマイナスイオン発生装置を設けたことを特徴とした請求項１から７のいずれかに記載の手乾燥装置。
【請求項１０】
風路内部にオゾン発生装置を設けたことを特徴とした請求項１から９のいずれかに記載の手乾燥装置。
【請求項１１】
風路内部にマイナスイオン発生装置を設けたことを特徴とした請求項１から９のいずれかに記載の手乾燥装置。
【請求項１２】
風路内部に殺菌灯を設けたことを特徴とした請求項１から９のいずれかに記載の手乾燥装置。
【発明の詳細な説明】
【技術分野】
【０００１】
本発明は、例えば、洗面所やトイレ等にて手を洗い、濡れた手を乾燥させる手乾燥装置に関する。
【背景技術】
【０００２】
従来、この種の手乾燥装置では、手の表面に付着した水滴を吸引し、乾燥させるものが知られていた（例えば特許文献１参照）。
【０００３】
以下、その手乾燥装置について図１０を参照しながら説明する。図に示すように、手乾燥装置１０１は本体内部に設けた吸引手段１０２と、前記吸引手段１０２に接続した風路１０３と、前記風路１０３に接続した吸引ノズル１０４を有し、前記吸引手段１０２を動作させることにより、前記吸引ノズル１０４より手の表面に付着した水滴を吸引し、手を乾燥させるものである。
【特許文献１】特開２００７−１０５１５５号公報（段落番号００５９，図１）
【発明の開示】
【発明が解決しようとする課題】
【０００４】
このような従来の手乾燥装置の方法では、手が触れる吸引ノズルに手を洗った水が付着して不清潔になるという課題があった。
【０００５】
本発明は、上記従来の課題を解決するもので、吸引ノズルに手を触れさせないように、吸引ノズルを挟む位置に２つのローラー部と、前記ローラー部の下部に清掃手段を設け、前記ローラー部の上に濡れた手を置いた時に、前記吸引ノズルより手の表面に付着した水滴を吸引することができるとともに、前記ローラー部を回転させながら前記清掃手段を動作させることにより、前記ローラー部の表面を清潔に保ち、また、吸引ノズルを清潔に保つことができる手乾燥装置を提供することを目的としている。
【課題を解決するための手段】
【０００６】
本発明の手乾燥装置は、上記目的を達成するために、本体内部に設けた吸引手段と、前記吸引手段に接続した風路と、前記風路に接続した吸引ノズルと、前記吸引ノズルを挟む位置に２つのローラー部を設け、前記ローラー部の下部に清掃手段を有する構成としたものである。
【０００７】
この手段により、吸引手段を動作させ、吸引ノズルより手の表面に付着した水滴を吸引することにより、水滴の飛散を抑制するともに、前記ローラー部を回転させながら前記清掃手段を動作させることにより、前記ローラー部の表面を清潔に保つことできる手乾燥装置が得られる。
【０００８】
また、清掃手段に隣接し、注水手段を設けたものである。
【０００９】
この手段により、ローラー部を水洗いでき、前記ローラー部の表面を、清潔に保つことができる手乾燥装置が得られる。
【００１０】
また、ローラー部の下部が浸漬する消毒槽を設けたものである。
【００１１】
この手段により、ローラー部を消毒することができ、前記ローラー部の表面を、清潔に保つことができる手乾燥装置が得られる。
【００１２】
また、ローラー部の表面に、撥水処理を施したものである。
【００１３】
この手段により、ローラー部に水分が付着しにくくなり、人の手が触れる前記ローラー部の表面を、清潔に保つことができる手乾燥装置が得られる。
【００１４】
また、ローラー部の表面に、親水処理を施したものである。
【００１５】
この手段により、手に付着した水分を吸着し易くなり、効率的に乾燥させることができる手乾燥装置が得られる。
【００１６】
また、ローラー部の表面に、弾性材を使用したものである。
【００１７】
この手段により、手がローラー部に密着し、手に付着した水分を吸着し易くなり、効率的に乾燥させることができる手乾燥装置が得られる。
【００１８】
また、ローラー部の表面に、抗菌処理を施したものである。
【００１９】
この手段により、ローラー部の表面に細菌が繁殖し難くなり、人の手が触れる前記ローラー部の表面を清潔に保つことができる手乾燥装置が得られる。
【００２０】
また、吸引ノズル近傍にオゾン発生装置を設けたものである。
【００２１】
この手段により、オゾンを発生させ、細菌が繁殖し難くなり、ローラー部と吸引ノズルを清潔に保つことができる手乾燥装置が得られる。
【００２２】
また、吸引ノズル近傍にマイナスイオン発生装置を設けたものである。
【００２３】
この手段により、マイナスイオンを発生させ、細菌が繁殖し難くなり、ローラー部と吸引ノズルを清潔に保つことができる手乾燥装置が得られる。
【００２４】
また、風路内部にオゾン発生装置を設けたものである。
【００２５】
この手段により、オゾンを発生させることにより細菌が繁殖し難くなり、風路内部を清潔に保つことができる手乾燥装置が得られる。
【００２６】
また、風路内部にマイナスイオン発生装置を設けたものである。
【００２７】
この手段により、マイナスイオンを発生させることにより細菌が繁殖し難くなり、風路内部を清潔に保つことができる手乾燥装置が得られる。
【００２８】
また、風路内部に殺菌灯を設けたものである。
【００２９】
この手段により、紫外線を照射することにより細菌が繁殖し難くなり、風路内部を清潔に保つことができる手乾燥装置が得られる。
【発明の効果】
【００３０】
本発明によれば、本体内部に設けた吸引手段と、前記吸引手段に接続した風路と、前記風路に接続した吸引ノズルと、前記吸引ノズルを挟む位置に２つのローラー部と、前記ローラー部の下部に清掃手段を有したものであり、前記吸引ノズルを挟む位置に２つのローラー部を設けることで、吸引ノズルに手を触れさせることなく、吸引ノズルに手を洗った水が付着して不清潔になるのを防止し吸引ノズルを清潔に保ち、また、前記吸引手段を動作させ、前記吸引ノズルより手の表面に付着した水滴を吸引することにより、水滴の飛散を抑制するともに、前記ローラー部を回転させながら前記清掃手段を動作させることにより、前記ローラー部の表面を清潔に保つことができる手乾燥装置を提供できる。
【００３１】
また、清掃手段に隣接し、注水手段を設けたものであり、ローラー部を水洗いすることにより、前記ローラー部の表面を、清潔に保つことができる手乾燥装置を提供できる。
【００３２】
また、ローラー部の下部が浸漬する消毒槽を設けたものであり、ローラー部を消毒することにより、前記ローラー部の表面を、清潔に保つことができる手乾燥装置を提供できる。
【００３３】
また、ローラー部の表面に、撥水処理を施したものであり、前記ローラー部に水分が付着しにくくなり、人の手が触れるローラー部の表面を、清潔に保つことができる手乾燥装置を提供できる。
【００３４】
また、ローラー部の表面に、親水処理を施したものであり、手に付着した水分を吸着し易くなり、効率的に乾燥させることができる手乾燥装置を提供できる。
【００３５】
また、ローラー部の表面に、弾性材を使用したものであり、手が前記ローラー部に密着し、手に付着した水分を吸着し易くなり、効率的に乾燥させることができる手乾燥装置を提供できる。
【００３６】
また、ローラー部の表面に、抗菌処理を施したものであり、前記ローラー部の表面に細菌が繁殖し難くなり、人の手が触れる前記ローラー部の表面を清潔に保つことができる手乾燥装置を提供できる。
【００３７】
また、吸引ノズル近傍にオゾン発生装置を設けたものであり、オゾンを発生させ、細菌が繁殖し難くなり、ローラー部と前記吸引ノズルを清潔に保つことができる手乾燥装置を提供できる。
【００３８】
また、吸引ノズル近傍にマイナスイオン発生装置を設けたものであり、マイナスイオンを発生させ、細菌が繁殖し難くなり、ローラー部と前記吸引ノズルを清潔に保つことができる手乾燥装置を供給できる。
【００３９】
また、風路内部にオゾン発生装置を設けたものであり、オゾンを発生させることにより細菌が繁殖し難くなり、前記風路内部を清潔に保つことができる手乾燥装置を供給できる。
【００４０】
また、風路内部にマイナスイオン発生装置を設けたものであり、マイナスイオンを発生させることにより細菌が繁殖し難くなり、前記風路内部を清潔に保つことができる手乾燥装置を供給できる。
【００４１】
また、風路内部に殺菌灯を設けたものであり、紫外線を照射することにより細菌が繁殖し難くなり、前記風路内部を清潔に保つことができる手乾燥装置を提供できる。
【発明を実施するための最良の形態】
【００４２】
本発明の請求項１記載の発明は、本体内部に設けた吸引手段と、前記吸引手段に接続した風路と、前記風路に接続した吸引ノズルと、前記吸引ノズルを挟む位置に２つのローラー部と、前記ローラー部の本体側に清掃手段を有したものであり、前記吸引ノズルを挟む位置に２つのローラー部を設けることで、吸引ノズルに手を触れさせることなく、吸引ノズルに手を洗った水が付着して不清潔になるのを防止し吸引ノズルを清潔に保ち、また、前記ローラー部の上に濡れた手を置き、前記吸引手段を動作させ、前記吸引ノズルより手の表面に付着した水滴を吸引することにより、水滴の飛散を抑制することができる作用と、前記ローラー部を回転させながら前記清掃手段を動作させることにより、前記ローラー部の表面を清潔に保つことできる作用を有する。
【００４３】
また、清掃手段に隣接し、注水手段を設けたものであり、ローラー部を水洗いすることにより、前記ローラー部の表面を、清潔に保つことができる作用を有する。
【００４４】
また、ローラー部の下部が浸漬する消毒槽を設けたものであり、ローラー部を消毒することにより、前記ローラー部の表面を、清潔に保つことができる作用を有する。
【００４５】
また、ローラー部の表面に、撥水処理を施したものであり、前記ローラー部に水分が付着しにくくなり、人の手が触れる前記ローラー部の表面を、清潔に保つことができる作用を有する。
【００４６】
また、ローラー部の表面に、親水処理を施したものであり、手に付着した水分を吸着し易くなり、効率的に乾燥させることができる作用を有する。
【００４７】
また、ローラー部の表面に、弾性材を使用したものであり、手がローラー部に密着し、手に付着した水分を吸着し易くなり、効率的に乾燥させることができる作用を有する。
【００４８】
また、ローラー部の表面に、抗菌処理を施したものであり、前記ロール状吸引口の表面に細菌が繁殖し難くなり、人の手が触れる前記ローラー部と前記吸引ノズルを清潔に保つことができる作用を有する。
【００４９】
また、吸引ノズル近傍にオゾン発生装置を設けたものであり、オゾンを発生させ、細菌が繁殖し難くなり、ローラー部と前記吸引ノズルを清潔に保つことができる作用を有する。
【００５０】
また、吸引ノズル近傍にマイナスイオン発生装置を設けたものであり、マイナスイオンを発生させ、細菌が繁殖し難くなり、ローラー部と前記吸引ノズルを清潔に保つことができる作用を有する。
【００５１】
また、風路内部にオゾン発生装置を設けたものであり、オゾンを発生させることにより細菌が繁殖し難くなり、前記風路内部を清潔に保つことができる作用を有する。
【００５２】
また、風路内部にマイナスイオン発生装置を設けたものであり、マイナスイオンを発生させることにより細菌が繁殖し難くなり、前記風路内部を清潔に保つことができる作用を有する。
【００５３】
また、風路内部に殺菌灯を設けたものであり、紫外線を照射することにより細菌が繁殖し難くなり、前記風路内部を清潔に保つことができる作用を有する。
【００５４】
（実施の形態１）
図１に示すように、手乾燥装置１は内部に吸引手段２、例えば、吸引ポンプと、前記吸引手段２に接続した風路３と、前記風路３に接続した吸引ノズル４と、前記吸引ノズル４を挟む位置にローラー部５と、前記ローラー部５の下部に設けられた、たとえば清掃ブラシなどによる清掃手段６により構成される。
【００５５】
上記構成において、前記ローラー部５の上に濡れた手を置き、前記吸引手段２を動作させ、前記吸引ノズル４より手の表面に付着した水滴を吸引することにより、水滴の飛散を抑制できるとともに、前記ローラー部５を回転させながら前記清掃手段６を動作させることにより、人の手が触れる前記ローラー部５の表面を清潔に保つことできる。
【００５６】
なお、本実施の形態１では、吸引ノズルが１個の手乾燥装置としているが、吸引ノズルを複数設け、手の両面より吸引する手乾燥装置においても同様の作用効果をもたらすことは言うまでもない。
【００５７】
（実施の形態２）
次に、本発明の実施の形態２について図面を参照しながら説明する。なお，実施の形態１と同一のものは同一番号を付し、その詳細な説明を省略する。
【００５８】
図２に示すように、手乾燥装置１は内部に吸引手段２、たとえば吸引ポンプと、前記吸引手段２に接続した風路３と、前記風路３に接続した吸引ノズル４と、前記吸引ノズル４を挟む位置にローラー部５と、前記ローラー部５の下部に設けられた、たとえば清掃ブラシによる清掃手段６と、前記清掃手段６に隣接した注水手段７により構成される。
【００５９】
上記構成において、前記ローラー部５の上に濡れた手を置き、前記吸引手段２を動作させ、前記吸引ノズル４より手の表面に付着した水滴を吸引することにより、水滴の飛散を抑制できるとともに、前記ローラー部５を消毒することにより、人の手が触れる前記ローラー部５の表面を、清潔に保つことできる。
【００６０】
（実施の形態３）
次に、本発明の実施の形態３について図面を参照しながら説明する。なお，実施の形態１，２と同一のものは同一番号を付し、その詳細な説明を省略する。
【００６１】
図３に示すように、手乾燥装置１は内部に吸引手段２、たとえば吸引ポンプと、前記吸引手段２に接続した風路３と、前記風路３に接続した吸引ノズル４と、前記吸引ノズル４を挟む位置にローラー部５と、前記ローラー部５の下部に設けられた、たとえば清掃ブラシによる清掃手段６と、前記ローラー部５の下部が浸漬する消毒槽８により構成される。
【００６２】
上記構成において、前記ローラー部５の上に濡れた手を置き、前記吸引手段２を動作させ、前記吸引ノズル４より手の表面に付着した水滴を吸引することにより、水滴の飛散を抑制できるとともに、前記ローラー部５を回転させながら前記清掃手段６を動作させることにより、人の手が触れる前記ローラー部５の表面を清潔に保つことできる。
【００６３】
（実施の形態４）
次に、本発明の実施の形態４について図面を参照しながら説明する。なお，実施の形態１，２，３と同一のものは同一番号を付し、その詳細な説明を省略する。
【００６４】
図４に示すように、手乾燥装置１は内部に吸引手段２と、前記吸引手段２に接続した風路３と、前記風路３に接続した吸引ノズル４と、前記吸引ノズル４を挟む位置に表面を撥水処理、たとえばフッ素コーティングされた２つのローラー部５により構成される。
【００６５】
上記構成において、吸引手段２を動作させ、吸引ノズル４より手の表面に付着した水滴を吸引することにより、手に付着した水滴が衣服や床へ飛散することを抑制できるとともに、撥水処理によりローラー部５に水分が付着しにくくなり、人の手が触れる前記ローラー部５の表面を清潔に保つことできる。
【００６６】
（実施の形態５）
次に、本発明の実施の形態５について図面を参照しながら説明する。なお、実施の形態１、２，３，４と同一のものは同一番号を付し、その詳細な説明を省略する。
【００６７】
図４に示すように、手乾燥装置１は内部に吸引手段２と、前記吸引手段２に接続した風路３と、前記風路３に接続した吸引ノズル４と、前記吸引ノズル４を挟む位置に表面を親水処理、たとえば光触媒処理された２つのローラー部５により構成される。
【００６８】
上記構成において、吸引手段２を動作させ、吸引ノズル４より手の表面に付着した水滴を吸引することにより、手に付着した水滴が衣服や床へ飛散することを抑制できるとともに、ローラー部５の表面に、親水処理を施したものであり、手に付着した水分を吸着し易くなり、効率的に乾燥させることができる。
【００６９】
（実施の形態６）
次に、本発明の実施の形態６について図面を参照しながら説明する。なお、実施の形態１、２、３，４，５と同一のものは同一番号を付し、その詳細な説明を省略する。
【００７０】
図４に示すように、手乾燥装置１は内部に吸引手段２と、前記吸引手段２に接続した風路３と、前記風路３に接続した吸引ノズル４と、前記吸引ノズル４を挟む位置に表面を弾性材、たとえばゴムで処理した２つのローラー部５により構成される。
【００７１】
上記構成において、吸引手段２を動作させ、吸引ノズル４より手の表面に付着した水滴を吸引することにより、手に付着した水滴が衣服や床へ飛散することを抑制できるとともに、ローラー部５に、弾性材を使用したものであり、手が密着し、手に付着した水分を吸着し易くなり、効率的に乾燥させることができる。
【００７２】
（実施の形態７）
次に、本発明の実施の形態７について図面を参照しながら説明する。なお、実施の形態１、２、３、４、５，６と同一のものは同一番号を付し、その詳細な説明を省略する。
【００７３】
図４に示すように、手乾燥装置１は内部に吸引手段２と、前記吸引手段２に接続した風路３と、前記風路３に接続した吸引ノズル４と、前記吸引ノズル４を挟む位置に表面を抗菌処理、たとえば銀イオン処理された２つのローラー部５により構成される。
【００７４】
上記構成において、吸引手段２を動作させ、吸引ノズル４より手の表面に付着した水滴を吸引することにより、手に付着した水滴が衣服や床へ飛散することを抑制できるとともに、ローラー部５の表面に、抗菌処理を施したものであり、前記ローラー部５の表面に細菌が繁殖し難くなり、人の手が触れる前記ローラー部５の表面を清潔に保つことができる。
【００７５】
（実施の形態８）
次に、本発明の実施の形態８について図面を参照しながら説明する。なお、実施の形態１、２、３、４、５，６，７と同一のものは同一番号を付し、その詳細な説明を省略する。
【００７６】
図５に示すように、手乾燥装置１は内部に吸引手段２と、前記吸引手段２に接続した風路３と、前記風路３に接続した吸引ノズル４と、前記吸引ノズル４を挟む位置に２つのローラー部５の近傍に設置されたオゾン発生装置９により構成される。
【００７７】
上記構成において、オゾン発生装置９を動作させることにより発生したオゾンが、ローラー部５と吸引ノズル４での雑菌の繁殖を抑制し、前記ローラー部５と前記吸引ノズル４を清潔に保つことができる。
【００７８】
（実施の形態９）
次に、発明の実施の形態９について図面を参照しながら説明する。なお、施の形態１、２、３、４、５、６，７，８と同一のものは同一番号を付し、その詳細な説明を省略する。
【００７９】
図６に示すように、手乾燥装置１は内部に吸引手段２と、前記吸引手段２に接続した風路３と、前記風路３に接続した吸引ノズル４と、前記吸引ノズル４を挟む位置に２つのローラー部５と、前記ローラー部５の近傍に設置されたマイナスイオン発生装置１０により構成される。
【００８０】
上記構成において、マイナスイオン発生装置１０を動作させることにより発生したマイナスイオンが、ローラー部５と吸引ノズル４での雑菌の繁殖を抑制し、前記ローラー部５と前記吸引ノズル４を清潔に保つことができる。
【００８１】
（実施の形態１０）
次に、本発明の実施の形態１０について図面を参照しながら説明する。なお、実施の形態１、２、３、４、５、６、７，８，９と同一のものは同一番号を付し、その詳細な説明を省略する。
【００８２】
図７に示すように、手乾燥装置１は内部に吸引手段２と、前記吸引手段２に接続した風路３と、前記風路３に接続した吸引ノズル４と、前記吸引ノズル４を挟む位置に２つのローラー部５と、前記風路３の内部に設置されたオゾン発生装置９により構成される。
【００８３】
上記構成において、オゾン発生装置９を動作させることにより発生したオゾンが、風路３内部での雑菌の繁殖を抑制し、前記風路３内部を清潔に保つことができる。
【００８４】
（実施の形態１１）
次に、本発明の実施の形態１１について図面を参照しながら説明する。なお、実施の形態１、２、３、４、５、６、７、８，９，１０と同一のものは同一番号を付し、その詳細な説明を省略する。
【００８５】
図８に示すように、手乾燥装置１は内部に吸引手段２と、前記吸引手段２に接続した風路３と、前記風路３に接続した吸引ノズル４と、前記吸引ノズル４を挟む位置に２つのローラー部５と、前記風路３の内部に設置されたマイナスイオン発生装置１０により構成される。
【００８６】
上記構成において、マイナスイオン発生装置１０を動作させることにより発生したマイナスイオンが、風路３内部での雑菌の繁殖を抑制し、前記風路３内部を清潔に保つことができる。
【００８７】
（実施の形態１２）
次に、本発明の実施の形態１０について図面を参照しながら説明する。なお、実施の形態１、２、３、４、５、６、７、８、９，１０，１１と同一のものは同一番号を付し、その詳細な説明を省略する。
【００８８】
図９に示すように、手乾燥装置１は内部に吸引手段２と、前記吸引手段２に接続した風路３と、前記風路３に接続した吸引ノズル４と、前記吸引ノズル４を挟む位置に２つのローラー部５と、前記風路３の内部に設置された殺菌灯１１により構成される。
【００８９】
上記構成において、殺菌灯１１を点灯させることにより発生した紫外線が、風路３内部での雑菌の繁殖を抑制し、前記風路３内部を清潔に保つことができる。
【産業上の利用可能性】
【００９０】
水滴の飛散を防止した乾燥ができることにより、水洗いした後の乾燥手法において、水滴の飛散を防止した乾燥を行うとともに清潔を保つなどの用途にも適用できる。
【図面の簡単な説明】
【００９１】
【図１】本発明の実施の形態１の手乾燥装置の構成を示す概略図
【図２】本発明の実施の形態２の手乾燥装置の構成を示す概略図
【図３】本発明の実施の形態３の手乾燥装置の構成を示す概略図
【図４】本発明の実施の形態４、５，６，７の手乾燥装置の構成を示す概略図
【図５】本発明の実施の形態８の手乾燥装置の構成を示す概略図
【図６】本発明の実施の形態９の手乾燥装置の構成を示す概略図
【図７】本発明の実施の形態１０の手乾燥装置の構成を示す概略図
【図８】本発明の実施の形態１１の手乾燥装置の構成を示す概略図
【図９】本発明の実施の形態１２の手乾燥装置の構成を示す概略図
【図１０】従来の手乾燥装置の構成を示す概略図
【符号の説明】
【００９２】
１      手乾燥装置
２      吸引手段
３      風路
４      吸引ノズル
５      ローラー部
６      清掃手段
７      注水手段
８      消毒槽
９      オゾン発生装置
１０    マイナスイオン発生装置
１１    殺菌灯
１０１  手乾燥装置
１０２  吸引手段
１０３  風路
１０４  吸引ノズル
【図１】
2009066026.tif 000003
【図２】
2009066026.tif 000004
【図３】
2009066026.tif 000005
【図４】
2009066026.tif 000006
【図５】
2009066026.tif 000007
【図６】
2009066026.tif 000008
【図７】
2009066026.tif 000009
【図８】
2009066026.tif 000010
【図９】
2009066026.tif 000011
【図１０】
2009066026.tif 000012